(57)【要約】【課題】分散染料由来の異物発生を抑制し、保存安定性に優れ、ノズル近傍における異物発生も抑制されたインクジェットインクを提供する。【解決手段】本発明に係るインクジェットインクは、第１染料、前記第１染料よりも含有量が少ない第２染料、及び分散剤を含み、前記第１染料と前記分散剤とのハンセン距離が、前記第２染料と前記分散剤とのハンセン距離より長いか、又は前記第２染料と前記分散剤とのハンセン距離と等しいことを特徴とする。【選択図】なし【特許請求の範囲】
【請求項１】
第１染料、前記第１染料よりも含有量が少ない第２染料、及び分散剤を含み、
前記第１染料と前記第２染料の含有比率が、９９．９：０．１〜９０：１０であり、
前記第１染料と前記分散剤とのハンセン距離が、前記第２染料と前記分散剤とのハンセン距離より長いか、又は前記第２染料と前記分散剤とのハンセン距離と等しい、インクジェットインク。
【請求項２】
前記第１染料及び前記第２染料の何れも分散染料である、請求項１に記載のインクジェットインク。
【請求項３】
前記第１染料は、Ｃ．Ｉ．ディスパースレッド６０である、請求項１または請求項２に記載のインクジェットインク。
【請求項４】
前記分散剤は、ナフタレンスルホン酸系化合物である、請求項１ないし請求項３のいずれか一項に記載のインクジェットインク。
【請求項５】
前記第２染料は、Ｃ．Ｉ．ディスパースレッド１９１、Ｃ．Ｉ．ディスパースレッド７０及びＣ．Ｉ．ディスパースレッド１９０からなる群から選択される少なくとも１種である、請求項１ないし請求項４のいずれか一項に記載のインクジェットインク。
【発明の詳細な説明】
【技術分野】
【０００１】
本発明は、インクジェットインクに関する。
【背景技術】
【０００２】
インクジェット記録方法を用いて、記録媒体である布帛を捺染する技術が提案されている。捺染用のインクジェットインク（以下、単に「インク」とも呼ぶ。）として、一般に分散染料が用いられる。分散染料は、数十ｎｍ〜サブミクロンサイズの油性の染料であり、水に難溶性である。このため、染料として分散染料を用いる場合には、分散剤や界面活性剤を用いて水系に分散させたエマルジョンの形態で使用される。このように、分散染料を用いたインクジェットインクにおいて、染料を溶媒中で沈降させずにインク中に浮遊状態を維持させ、これによりインクの粘度や表面張力を制御するためには、分散剤や界面活性剤の存在が必要不可欠である（例えば、特許文献１参照。）
【先行技術文献】
【特許文献】
【０００３】
【特許文献１】特開平１０−２９８４７７号公報
【発明の概要】
【発明が解決しようとする課題】
【０００４】
しかしながら、そもそも結晶性の高い染料は、分散化工程でミル等により粉砕され、結晶成長が可能な微結晶状態で溶媒中に存在する。これらの微結晶は、分散剤や界面活性剤の存在によりインク中に分散しているが、分子レベルで析出し、更には結晶化成長する場合がある。これは、インクの保存時における温度変化に起因するものであり、低温保存時に染料の溶解度が低下する場合に起こりやすい。また、インクを吐出するノズル近傍では、インクの低沸点成分の乾燥や、それに伴う溶剤成分の組成が変化するため、染料の溶解量が低下し、ノズル近傍で染料が析出する場合がある。
【０００５】
そこで、本発明に係る幾つかの態様は、上述の課題の少なくとも一部を解決することで、分散染料由来の異物発生を抑制し、保存安定性に優れ、ノズル近傍における異物発生も抑制されたインクジェットインクを提供することにある。
【課題を解決するための手段】
【０００６】
本発明は、上記課題の少なくとも一部を解決するためになされたものであり、以下の態様または適用例として実現することができる。
【０００７】
［適用例１］
本発明に係るインクジェットインクの一態様は、
第１染料、前記第１染料よりも含有量が少ない第２染料、及び分散剤を含み、
前記第１染料と前記分散剤とのハンセン距離が、前記第２染料と前記分散剤とのハンセン距離より長いか、又は前記第２染料と前記分散剤とのハンセン距離と等しいことを特徴とする。
【０００８】
適用例１の態様によれば、第１染料と分散剤とのハンセン距離が、第２染料と分散剤とのハンセン距離より長いか、又は第２染料と分散剤とのハンセン距離と等しいにより、第１染料が安定してインク中に分散されるため、異物発生が抑制され、保存安定性に優れ、ノズル近傍における異物発生も抑制されたインクジェットインクを提供することが可能となる。
【０００９】
［適用例２］
上記適用例において、
前記第１染料は、Ｃ．Ｉ．ディスパースレッド６０であることができる。
【００１０】
［適用例３］
上記適用例において、
前記分散剤は、ナフタレンスルホン酸系化合物であることができる。
【００１１】
［適用例４］
上記適用例において、
前記第１染料と前記第２染料の含有比率は、９９．９：０．１〜９０：１０であることができる。
【００１２】
［適用例５］
上記適用例において、
前記第２染料は、Ｃ．Ｉ．ディスパースレッド１９１、Ｃ．Ｉ．ディスパースレッド７０及びＣ．Ｉ．ディスパースレッド１９０からなる群から選択される少なくとも１種であることができる。
【発明を実施するための形態】
【００１３】
以下、本発明の好適な実施形態について詳細に説明する。なお、本発明は、下記の実施形態に限定されるものではなく、本発明の要旨を変更しない範囲において実施される各種の変形例も含む。
【００１４】
１．インクジェットインク
本実施の形態に係るインクジェットインクは、第１染料、前記第１染料よりも含有量が少ない第２染料、及び分散剤を含み、前記第１染料と前記分散剤とのハンセン距離が、前記第２染料と前記分散剤とのハンセン距離より長いか、又は前記第２染料と前記分散剤とのハンセン距離と等しいことを特徴とする。
【００１５】
以下、本実施の形態に係るインクジェットインクに含まれる、分散染料、分散剤、水、水溶性有機溶剤、その他の添加剤の順に説明する。
【００１６】
１．１．分散染料
分散染料とは、ポリエステル、ナイロン、アセテート等の疎水性合成繊維の染着に好適に用いられる染料であり、水に不溶または難溶の化合物である。本実施の形態に係るインクジェットインクでは、第１染料（主染料）と第２染料（副染料）の少なくとも２種の分散染料を含有し、第２染料の含有量は第１染料の含有量よりも少ない。また、第１染料と分散剤とのハンセン距離は、第２染料と分散剤とのハンセン距離より長いか、又は第２染料と分散剤とのハンセン距離と等しい。
【００１７】
本明細書において、第１染料（主染料）とは、本実施の形態に係るインクジェットインクに含有される染料の中で最も多く含まれている染料のことをいう。第２染料（副染料）とは、本実施の形態に係るインクジェットインクに含有される染料の中で、第１染料（主染料）の次に多く含まれている染料のことをいう。
【００１８】
ハンセン距離（Ｒａ）とは、物質の溶解性の予測に用いられる値である。ハンセン距離が近ければ近いほど、互いに溶解しやすい、つまり２つの物質の相溶性が高いことを示し、ハンセン距離がより長い方が相溶性が低いことを示している（C. M. Hansen: “The three dimensional solubility parameter and solvent diffusion coefficient,” 1967）。
【００１９】
２つの物質の間のハンセン距離（Ｒａ）は、３つのパラメーターを基にして算出された近似値であり、以下の式（１）によって計算される。
（Ｒａ）2＝４（δd2−δd1）2＋（δp2−δp1）2＋（δh2−δh1）2    （１）
δd：分散項（分子間の分散力によるエネルギー  ＭＰａ0.5）
δp：極性項（分子間の双極子相互作用によるエネルギー  ＭＰａ0.5）
δh：水素結合項（分子間の水素結合によるエネルギー  ＭＰａ0.5）
これら３つのパラメーターは、３次元空間(ハンセン空間)における座標とみなすことができ、２つの物質のハンセン溶解度パラメーターをハンセン空間内に置いたときに、２点間の距離（ハンセン距離）が短いほど相溶性が高い。
【００２０】
なお、本明細書において、ハンセン溶解度パラメーターは、「Emmanuel Stefanis, Leonidas Constantinou, and Costas Panayiotou :”A Group‐Contribution Method for Predicting Pure Component Properties of Biochemical and Safety Interest,”Ind. Eng. Chem. Res., 43 (19), pp 6253‐6261 (2004).」により算出している。
【００２１】
つまり、本明細書において、第１染料と第２染料の分散剤に対するハンセン距離は、第１染料と第２染料の、分散剤に対するハンセン溶解度パラメーター（分散項、極性項、水素結合項）によって算出される。
【００２２】
本実施の形態に係るインクジェットインクでは、主染料である第１染料と分散剤とのハンセン距離が、副染料である第２染料と分散剤とのハンセン距離よりも長いか、ハンセン距離が同じ距離である。つまり、染料の主成分として含有される第１染料と分散剤との相溶性よりも、第２染料と分散剤との相溶性の方が高いか、同程度である。このように、インク中に、分散剤との相溶性がより高い第２染料を補助的に微量添加することにより、主染料である第１染料の溶解性が制御され、析出して結晶化することを抑制する。したがって、染料由来の異物発生が抑制され、保存安定性に優れ、更にはノズル近傍における異物発生も抑制されたインクジェットインクを提供することが可能となる。
【００２３】
第２染料はインク中で析出して異物が発生しない染料であることが好ましい。そして、第２染料は、添加量が微量であっても第１染料由来の異物発生が抑制されるため、添加量が多いほど異物発生は抑制されるが、インクジェットインクを用いて記録した場合に、記録物（印捺物）の色味の変化が小さいことが好ましい。このため、第１染料と第２染料の含有比率は、９９．９：０．１〜７０：３０であることが好ましく、９９．９：０．１〜８０：２０がより好ましく、９９．９：０．１〜９０：１０であることが更に好ましい。
【００２４】
分散剤に対する第１染料と第２染料のハンセン距離は、同程度であることが好ましい。分散剤に対する第１染料と第２染料のハンセン距離が同程度であるとは、第１染料と第２染料の構造が比較的近いことを示す。この場合には、第２染料の微量添加により異物発生が抑制されるだけでなく、記録物の色味の変化が小さい。
【００２５】
ここで、本実施の形態に係るインクジェットインクに用いられる分散染料としては、特に制限されないが、具体的には以下に例示するものが挙げられる。
【００２６】
イエロー分散染料としては、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２等が挙げられる。
【００２７】
オレンジ分散染料としては、例えば、Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２等が挙げられる。
【００２８】
レッド分散染料としては、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８等が挙げられる。
【００２９】
バイオレット分散染料としては、例えば、Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、７７等が挙げられる。
【００３０】
グリーン分散染料としては、例えば、Ｃ．Ｉ．ディスパースグリーン９等が挙げられる。
【００３１】
ブラウン分散染料としては、例えば、Ｃ．Ｉ．ディスパースブラウン１、２、４、９、１３、１９等が挙げられる。
【００３２】
ブルー分散染料としては、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３等が挙げられる。
【００３３】
ブラック分散染料としては、例えば、Ｃ．Ｉ．ディスパースブラック１、３、１０、２４等が挙げられる。
【００３４】
上記例示した分散染料は、主染料である第１染料と分散剤とのハンセン距離が、副染料である第２染料と分散剤とのハンセン距離よりも長いか、ハンセン距離が同じ距離である条件を満たしていれば、いずれの組み合わせでも使用可能である。また、更に、第３染料を含有し、第２染料と組み合わせて用いてもよい。その場合には、第３染料は第２染料よりも含有量が少なく、分散剤とのハンセン距離が、第１染料と分散剤とのハンセン距離よりも短いことが好ましい。
【００３５】
分散染料の市販品の例としては、オラセットイエロー８ＧＦ（商品名、チバガイギー社製、Ｃ．Ｉ．ディスパースイエロー８２）、アイゼンゾットイエロー５（商品名、保土谷化学工業株式会社製、Ｃ．Ｉ．ディスパースイエロー３）、スミプラスイエローＨＬＲ（商品名、住友化学工業株式会社製、Ｃ．Ｉ．ディスパースイエロー５４）、カヤセットイエローＡ−Ｇ（商品名、日本化薬株式会社製、Ｃ．Ｉ．ディスパースイエロー５４）、ダイアレジンイエローＨ２Ｇ（商品名、三菱化学株式会社製、Ｃ．Ｉ．ディスパースイエロー１６０）、オイルイエロー５４（商品名、中央合成化学株式会社製、Ｃ．Ｉ．ディスパースイエロー５４）、ダイアレジンレッドＨ（商品名、三菱化学株式会社製、Ｃ．Ｉ．ディスパースレッド５）、スミプラスレッドＢ−２（商品名、住友化学工業株式会社製、Ｃ．Ｉ．ディスパースレッド１９１）、カヤセットレッドＢ（商品名、日本化薬株式会社製、Ｃ．Ｉ．ディスパースレッド６０）、フィレスターバイオレットＢＡ（商品名、チバガイギー社製、Ｃ．Ｉ．ディスパースバイオレット５７）、プラストレッド８３３５（商品名、有本化学工業株式会社製、Ｃ．Ｉ．ディスパースバイオレット１７）、プラストレッド８３７５（商品名、有本化学工業株式会社製、Ｃ．Ｉ．ディスパースレッド６０）、プラストブルー８５１６（商品名、有本化学工業株式会社製、Ｃ．Ｉ．ディスパースブルー１４）等が挙げられる。
【００３６】
本実施の形態に係るインクジェットインク中における分散染料の含有量は、染着性および分散染料の可溶化能の観点から、インク組成物の全質量（１００質量％）に対して、好ましくは０．１質量％以上１０質量％以下、より好ましくは０．２５質量％以上９質量％以下、特に好ましくは１質量％以上８質量％以下である。
【００３７】
本実施の形態に係るインクジェットインクに含まれる第１染料の一例として、アントラキノン系分散染料である、Ｃ．Ｉ．ディスパースレッド６０（以下、単に「ＤＲ６０」とも呼ぶ。）を挙げて、より詳細に説明する。
【００３８】
発明者らは、ＤＲ６０は、特異的に針状の異物が発生しやすい構造であることを発見した。このように、単独では異物が発生しやすいＤＲ６０を染料として用いる場合であっても、分散剤に対するハンセン距離がＤＲ６０よりも短い、又は同じ距離である第２染料を微量添加することにより、ＤＲ６０の析出による異物発生が抑制され、本発明による効果が高いことが分かった。
【００３９】
一例として、分散剤としてナフタレンスルホン酸を用いた場合の、レッド分散染料と、参考としてブルー分散染料：Ｃ．Ｉ．ディスパースブルー  ３５９（ＤＢ３５９）のハンセン距離を表１に示す。
【００４０】
【表１】
2020186391.tif 000002
【００４１】
表１に示すように、分散剤であるナフタレンスルホン酸とＤＲ６０とのハンセン距離は８．３であるため、ナフタレンスルホン酸とのハンセン距離が８．３以下である染料、例えば、ＤＲ１２７、ＤＲ１９０、ＤＲ１９１、ＤＲ１９２、ＤＲ２２９、ＤＲ４、ＤＲ１１、ＤＲ１５、ＤＲ５３、ＤＲ５９、ＤＲ１４６、ＤＲ２８８をインク中に微量添加すると、ＤＲ６０由来の異物発生が抑制される。特に、第２染料として、ＤＲ６０と構造が比較的近く、かつ、分散剤とのハンセン距離が近い（ハンセン距離が８．３に近い値である）、ＤＲ１９１、ＤＲ７０、ＤＲ１９０を用いることが好ましい。この場合、第２染料は、１種または２種以上を組み合わせて用いることができる。
【００４２】
このように、インク中に第２染料としてＤＲ１９１、ＤＲ７０、ＤＲ１９０のいずれかを微量添加した場合には、特異的に異物が発生しやすいＤＲ６０の析出が抑制され、ＤＲ６０由来の異物発生が抑制され、保存安定性に優れ、更にはノズル近傍における異物発生が抑制されたインクジェットインクとなる。
【００４３】
１．２．分散剤
前記分散染料を分散させるための分散剤は、特に限定されず、例えばノニオン性やアニオン性の分散剤を挙げることができる。アニオン性の分散剤としては、高級脂肪酸塩、ポリオキシエチレンアルキルエーテル硫酸塩、芳香族スルホン酸塩、リグニンスルホン酸塩、芳香族スルホン酸塩またはリグニンスルホン酸塩のホルマリン縮合物等が挙げられる。芳香族スルホン酸塩としては、アルキルフェニルスルホン酸塩、アルキルナフタレンスルホン酸塩、アルキルフェニルエーテルスルホン酸塩等が挙げられる。芳香族スルホン酸塩のホルマリン縮合物としては、ナフタレンスルホン酸塩のホルマリン縮合物、特殊芳香族スルホン酸塩のホルマリン縮合物（ブチルナフタレン等のアルキルナフタレンスルホン酸ナトリウムとナフタレンスルホン酸ナトリウムとのホルマリン縮合物、クレゾールスルホン酸ナトリウムと２−ナフトール−６−スルホン酸ナトリウムのホルマリン縮合物、クレゾールスルホン酸ナトリウムのホルマリン縮合物、クレオソート油スルホン酸ナトリウムのホルマリン縮合物等が挙げられる。また、これらの分散剤は、１種または２種以上を組み合わせて用いることができる。
【００４４】
上記一例として挙げたＤＲ６０を第１染料として用いる場合には、分散剤としては、ＤＲ６０と構造が類似しているナフタレンスルホン酸系化合物であることが好ましい。この場合には、ＤＲ６０の分散性が向上する。ナフタレンスルホン酸系化合物としては、上記した、アルキルナフタレンスルホン酸塩、ナフタレンスルホン酸塩のホルマリン縮合物、ブチルナフタレン等のアルキルナフタレンスルホン酸ナトリウムとナフタレンスルホン酸ナトリウムとのホルマリン縮合物等が挙げられる。
【００４５】
さらに上記のノニオン性やアニオン性の分散剤の他に、いわゆる高分子分散剤を用いることができ、例えば、スチレンおよびその誘導体、ビニルナフタレンおよびその誘導体、α，β−不飽和カルボン酸の脂肪族アルコールエステル等、アクリル酸およびその誘導体、マレイン酸およびその誘導体、イタコン酸およびその誘導体、フマール酸およびその誘導体、酢酸ビニル、ビニルアルコール、ビニルピロリドン、アクリルアミド、およびその誘導体等から選ばれる少なくとも２つ以上の単量体（このうち少なくとも１つは親水性単量体）からなるブロック共重合体、ランダム共重合体およびグラフト共重合体、並びにこれらの塩等を挙げることができる。これらの樹脂は、塩基を溶解させた水溶液に可溶なアルカリ可溶型樹脂であることが好ましい。
【００４６】
本実施の形態に係るインクジェットインクに含まれる分散剤の含有量は、特に限定されないが、分散染料の分散能の観点から、インク組成物の全質量（１００質量％）に対して、好ましくは１質量％以上１０質量％以下、より好ましくは２質量％以上９質量％以下、特に好ましくは３質量％以上８質量％以下である。
【００４７】
分散染料を分散させる方法としては、特に限定されず、ボールミル、サンドミル、高圧ホモジナイザーなどの方法で分散することができる。本実施の形態に係るインクジェットインク中に含有される分散染料の平均粒径の範囲は、分散安定性やインク供給系およびインク吐出部分等の目詰まり防止等の観点から好ましくは０．０５μｍ以上１．０μｍ以下、より好ましくは０．０７μｍ以上０．５μｍ以下である。
【００４８】
１．３．水
本実施の形態に係るインクジェットインクは、分散染料の分散媒体としての水を含む。水としては、イオン交換水、限外濾過水、逆浸透水、蒸留水等の純水、または超純水を用いることが好ましい。特に、これらの水を紫外線照射または過酸化水素添加等により滅菌処理した水は、長期間に亘ってカビやバクテリアの発生が防止されるので好ましい。インク中における水の含有量は、特に限定されないが、インク組成物の全質量（１００質量％）に対して、４０質量％以上９０質量％以下であるのが好ましく、５５質量％以上７０質量％以下であるのがより好ましい。
【００４９】
１．４．水溶性有機溶剤
本実施の形態に係るインクジェットインクは、布帛への濡れ性を高めてインクの浸透性を向上させる観点から、また、染料の溶解性を制御する観点から、２５℃の水１００ｇに対する溶解度が１ｇ／１００ｇ以上の水溶性有機溶剤を含むことが好ましい。水溶性有機溶剤としては、例えば、メタノール、エタノール、イソプロピルアルコール等のアルコール類；アセトン、ジアセトンアルコール等のケトンまたはケトアルコール類；テトラヒドロフラン、ジオキサン等のエーテル類；エチレングリコール、ジエチレングリコール、トリエチレングリコール、ポリエチレングリコール、プロピレングリコール、ジプロピレングリコール、トリプロピレングリコール、ポリプロピレングリコール、プロパンジオール、ブタンジオール、ペンタンジオール、ヘキシレングリコール等のグリコール類；エチレングリコールモノメチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノブチルエーテル等のグリコールの低級アルキルエーテル類；ジエタノールアミン、トリエタノールアミン等のヒドロキシ基を持つアミン類；グリセリン、２−ピロリドン、Ｎ−メチルピロリドン等が挙げられる。これらの中でも、グリセリン、ジエチレングリコール、トリエチレングリコール、エチレングリコール、エチレングリコールモノメチルエーテル、ジエチレングリコールモノブチルエーテル、トリエチレングリコールモノメチルエーテル、トリエチレングリコールモノブチルエーテルを好適に用いることができる。また、これらの水溶性有機溶剤は、１種類または２種類以上を組み合わせて用いることができる。
【００５０】
本実施の形態に係るインクジェットインク中における水溶性有機溶剤の含有量は、ノズルの目詰まり防止や滲み防止の観点から、インク組成物の全質量（１００質量％）に対して、好ましくは２質量％以上１５質量％以下である。
【００５１】
１．５．その他の添加剤
また、本発明の好ましい態様によれば、本実施の形態に係るインクジェットインクは、その諸特性を改善するためにその他の添加剤として、表面張力調整剤、防腐剤、防かび剤、ｐＨ調整剤、染料溶解助剤、酸化防止剤、消泡剤、また、導電率調整剤、濃染剤、均染剤、浸透剤等を含有することができる。
【００５２】
本実施の形態に係るインクジェットインクのｐＨは、５以上９以下であることが好ましく、７以上８以下であることがより好ましい。インクのｐＨが上記範囲にあると、インク中の分散染料の分散性や保存安定性が格段に良好となる。ｐＨ調整剤としては、例えば、ジエタノールアミン、トリエタノールアミン、プロパノールアミン、モルホリン等のアミン類及びこれらの変成物；酢酸、クエン酸、フタル酸、シュウ酸、コハク酸、アジピン酸、アミノ酸等の有機酸；水酸化ナトリウム、水酸化リチウム等の無機塩類；水酸化アンモニウム、四級アンモニウム水酸化物（テトラメチルアンモニウム）等が挙げられる。
【００５３】
本実施の形態に係るインクジェットインクは、表面張力調整剤を含んでも良く、例えば、アニオン性界面活性剤、両性界面活性剤、カチオン性界面活性剤、ノニオン性界面活性剤等が挙げられる。
【００５４】
アニオン性界面活性剤としては、例えば、アルキルスルホカルボン酸塩、ポリオキシエチレンアルキルエーテル酢酸塩、Ｎ−アシルアミノ酸塩、アルキル硫酸塩ポリオキシエチレンアルキルエーテル硫酸塩、アルキル硫酸塩ポリオキシエチレンアルキルエーテルリン酸塩、ヒマシ油硫酸エステル塩、ラウリルアルコール硫酸エステル塩、アルキルフェノール型リン酸エステル、アルキル型リン酸エステル、ジエチルスルホコハク酸塩、ジエチルヘキシルスルホコハク酸塩、ジオクチルスルホコハク酸塩等が挙げられる。
【００５５】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。カチオン系界面活性剤としては、例えば、２−ビニルピリジン誘導体、ポリ４−ビニルピリジン誘導体等が挙げられる。
【００５６】
ノニオン性界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系界面活性剤；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系界面活性剤；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系界面活性剤が挙げられる。
【００５７】
防腐剤、防かび剤の好ましい具体例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンゾイソチアゾリン−３−オン（ゼネカ社のプロキセルＣＲＬ、プロキセルＢＤＮ、プロキセルＧＸＬ、プロキセルＸＬ．２、プロキセルＴＮ、プロキセルＬＶ）、４−クロロ−３−メチルフェノール（バイエル社のプリベントールＣＭＫ等）などが挙げられる。
【００５８】
さらに、濃染剤、均染剤、浸透剤の例としては、水性ウレタン樹脂、脂肪酸アルコール、ポリエチレングリコール、ノニオン性界面活性剤、アニオン性界面活性剤、一価および二価の無機塩（塩化カリウム、塩化ナトリウム、塩化リチウム、塩化マグネシウム、硫酸カリウム、硫酸ナトリウム、硫酸リチウム、硫酸マグネシウム）などが挙げられる。
【００５９】
１．６．インクジェットインクの調製方法
本実施の形態に係るインクジェットインクは、前述した成分を任意な順序で混合し、必要に応じて濾過等をして不純物を除去することにより得られる。各成分の混合方法としては、メカニカルスターラー、マグネチックスターラー等の撹拌装置を備えた容器に順次材料を添加して撹拌混合する方法が好適に用いられる。濾過方法としては、遠心濾過、フィルター濾過等を必要に応じて行なうことができる。
【００６０】
１．７．物性
本実施の形態に係るインクジェットインクは、印字品質とインクジェット用インクとしての信頼性とのバランスの観点から、２０℃における表面張力が２０ｍＮ／ｍ以上５０ｍＮ／ｍであることが好ましく、２５ｍＮ／ｍ以上４０ｍＮ／ｍ以下であることがより好ましい。なお、表面張力の測定は、自動表面張力計ＣＢＶＰ−Ｚ（協和界面科学社製）を用いて、２０℃の環境下で白金プレートをインクで濡らしたときの表面張力を確認することにより測定することができる。
【００６１】
また、同様の観点から、本実施形態で用いられるインクジェットインクの２０℃における粘度は、２ｍＰａ・ｓ以上３０ｍＰａ・ｓ以下であることが好ましく、２ｍＰａ・ｓ以上２０ｍＰａ・ｓ以下であることがより好ましい。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００６２】
表面張力および粘度を前記範囲内とするためには、前記分散染料の濃度を調整する方法や、上記添加剤の種類や添加量等を調整する方法等を用いることができる。
【００６３】
１．８．用途
本実施の形態に係るインクジェットインクは、公知のインクジェット記録装置のインクカートリッジに収容し、インクジェット記録用ヘッドから吐出させて布帛に付着させることができる。染着対象となる布帛基材を構成する素材としては、ポリエステル、アセテート、トリアセテート、ナイロン、アクリル等の疎水性合成繊維が挙げられる。布帛基材としては、上記に挙げた繊維を、織物、編物、不織布等いずれの形態にしたものでもよい。
【００６４】
本実施の形態に係るインクジェットインクは、分散染料由来の異物発生を抑制され、保存安定性に優れている。つまり、分散染料が溶媒中に安定的に分散されているため、本実施の形態に係るインクジェットインクを布帛に対するインクジェット捺染に用いると、色ムラを生じることがなく、布帛を均一に染着することができる。また、ノズル近傍における異物発生も抑制されていることから、吐出安定性にも優れている。
【００６５】
２．実施例
以下、本発明を実験例および比較例によってさらに具体的に説明するが、本発明はこれらの実施例のみに何ら限定されるものではない。
【００６６】
２．１．インクの調製
第１染料を分散させた第１分散液と、第２染料を分散させた第２分散液の混合分散液を調整し、室温で静置した。その後、水−アセトン系の混合溶液を調整し、染料が０．０１〜０．１質量％となる範囲で混合し、任意時間放置した。放置後の溶液をガラスセルへ注入し、光学顕微鏡で観察した。なお、水０．８アセトン０．２の混合溶液はインクとして用いられる溶媒組成であり、水０．６アセトン０．４の混合溶液はノズル近傍の溶媒組成を模している。
【００６７】
＜実施例１＞
第１染料としてＤＲ６０（ハンセン距離８．３）、第２染料としてＤＲ１９１（ハンセン距離８．０）を用い、表２に示す組成でインクを調製した。なお、ハンセン距離は、ナフタレンスルホン酸とのハンセン距離である。
【００６８】
【表２】
2020186391.tif 000003
【００６９】
＜実施例２＞
第１染料としてＤＲ６０（ハンセン距離８．３）、第２染料としてＤＲ１９０（ハンセン距離７．７）を用い、表３に示す組成でインクを調製した。
【００７０】
【表３】
2020186391.tif 000004
【００７１】
＜実施例３＞
第１染料としてＤＲ６０（ハンセン距離８．３）、第２染料としてＤＲ７０（ハンセン距離８．３）を用い、表４に示す組成でインクを調製した。
【００７２】
【表４】
2020186391.tif 000005
【００７３】
＜実施例４＞
第１染料としてＤＲ６０（ハンセン距離８．３）、第２染料としてＤＲ１９１（ハンセン距離８．０）を用い、表５に示す組成でインクを調製した。
【００７４】
【表５】
2020186391.tif 000006
【００７５】
＜比較例１＞
第１染料としてＤＲ６０（ハンセン距離８．３）、第２染料としてＤＢ３５９（ハンセン距離９．０）を用い、表６に示す組成でインクを調製した。
【００７６】
【表６】
2020186391.tif 000007
【００７７】
２．２．評価結果
第１染料として用いたＤＲ６０は、単独では針状の異物が発生し、いずれの例においても、第２染料単独では針状の異物が発生しない。第２染料と分散剤とのハンセン距離が、第１染料であるＤＲ６０と分散剤とのハンセン距離よりも短い実施例１、２では、第２染料を添加することにより針状の異物が発生せず、少量添加でも効果が見られた。これは、ノズル近傍を模した溶媒系においても同様の効果が見られた。また、第１染料と分散剤とのハンセン距離と、第２染料と分散剤とのハンセン距離とが等しい実施例３においても、同様の結果であった。また、第１染料の含有比率を小さくした実施例４においても、同様の効果が見られた。
【００７８】
これに対し、第２染料と分散剤とのハンセン距離が、第１染料であるＤＲ６０と分散剤とのハンセン距離よりも長い比較例１では、第２染料を添加しても針状の異物が発生し、第２染料を添加したことによる効果は見られなかった。特に、アセトンの含有量を高くした場合には、第１染料の析出が多かった。
【００７９】
以上により、第１染料と分散剤とのハンセン距離が、第２染料と分散剤とのハンセン距離より長いか、又は等しい場合には、第１染料として用いたＤＲ６０由来の異物発生が抑制され、保存安定性に優れるだけでなく、更にはノズル近傍における異物発生も抑制されることが分かった。
【００８０】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
第１染料、前記第１染料よりも含有量が少ない第２染料、水、２５℃の水１００ｇに対する溶解度が１ｇ／１００ｇ以上の水溶性有機溶剤、及び分散剤を含み、
前記第１染料と前記第２染料の含有比率が、９９．９：０．１〜９０：１０であり、
前記第１染料は、Ｃ．Ｉ．ディスパースレッド６０であり、
前記第２染料は、Ｃ．Ｉ．ディスパースレッド１９１、Ｃ．Ｉ．ディスパースレッド７０及びＣ．Ｉ．ディスパースレッド１９０からなる群から選択される少なくとも１種であり、
前記分散剤は、ナフタレンスルホン酸系化合物であり、
前記水の含有量が、インクジェットインクの全質量に対して、５５質量％以上７０質量％以下である、インクジェットインク。
【請求項２】
前記水溶性有機溶剤の含有量が、インクジェットインクの全質量に対して、２質量％以上１５質量％以下である、請求項１に記載のインクジェットインク。